(57)【特許請求の範囲】
【請求項１】
ディジタル音声放送信号を選択受信する受信部と、
該受信部により受信されたディジタル音声放送信号に基づき、タイム・インターリーブ処理が施された情報データを得るデータ復調部と、
該データ復調部から得られる情報データにタイム・ディインターリーブ処理を施すタイム・ディインターリーブ部と、
該タイム・ディインターリーブ部によるタイム・ディインターリーブ処理が施された情報データに基づく再生音声信号を得る音声信号再生部と、
上記タイム・ディインターリーブ部による上記情報データに対するタイム・ディインターリーブ処理が行われるにあたり、上記情報データを構成するユニットデータの格納及び格納されたユニットデータの読出しが行われるメモリ部と、
該メモリ部への上記ユニットデータの格納及び上記メモリ部からの上記格納されたユニットデータの読出しについての制御を行うとともに、上記メモリ部における上記ユニットデータの格納及び読出しに使用されない部分を、上記ユニットデータ以外の他のデータの格納及び読出しに利用する制御を行うメモリ制御部と、
を備えて構成される放送信号受信装置。
【請求項２】
受信部，データ復調部及び音声信号再生部の動作制御を行う動作制御部を備えることを特徴とする請求項１記載の放送信号受信装置。
【請求項３】
タイム・ディインターリーブ部によるタイム・ディインターリーブ処理が施された情報データに基づく再生サービスデータを得るサービスデータ再生部を備えることを特徴とする請求項１または２記載の放送信号受信装置。
【請求項４】
メモリ制御部が、メモリ部におけるタイム・インターリーブ処理が施された情報データを構成するユニットデータの格納及び読出しに使用されない部分において格納及び読出しがなされる他のデータを、制御用情報データとなすことを特徴とする請求項１，２または３記載の放送信号受信装置。
【請求項５】
メモリ制御部が、メモリ部におけるタイム・インターリーブ処理が施された情報データを構成するユニットデータの格納及び読出しに使用されない部分において格納及び読出しがなされる他のデータを、タイム・ディインターリーブ処理が施された情報データに基づいて得られる音声プログラムデータに含まれるプログラム関連データとなすことを特徴とする請求項１，２または３記載の放送信号受信装置。
【請求項６】
メモリ制御部が、メモリ部におけるタイム・インターリーブ処理が施された情報データを構成するユニットデータの格納及び読出しに使用されない部分において格納及び読出しがなされる他のデータを、タイム・ディインターリーブ処理が施された情報データに基づいて得られるパケットデータとなすことを特徴とする請求項１，2 または３記載の放送信号受信装置。
【請求項７】
メモリ制御部が、メモリ部におけるタイム・インターリーブ処理が施された情報データを構成するユニットデータの格納及び読出しに使用されない部分において格納及び読出しがなされる他のデータを、タイム・ディインターリーブ処理が施された情報データに基づいて得られる音声プログラムデータに基づくビットストリームとなすことを特徴とする請求項１，２または３記載の放送信号受信装置。
【請求項８】
メモリ制御部が、メモリ部におけるタイム・インターリーブ処理が施された情報データを構成するユニットデータの格納及び読出しに使用されない部分において格納及び読出しがなされる他のデータを、動作制御部における処理に用いられるデータとなすことを特徴とする請求項２記載の放送信号受信装置。
【発明の詳細な説明】
【０００１】
【発明の属する技術分野】
本発明は、ディジタル音声放送（ＤＡＢ）のもとにおける放送信号（ディジタル音声放送信号）を受信し、受信されたディジタル音声放送信号に基づく再生音声信号を得ることができる放送信号受信装置に関する。
【０００２】
【従来の技術】
通常、“ラジオ放送”と呼ばれることが多い音声放送は、長年の間、音声情報信号を振幅変調（ＡＭ）音声信号として送信するＡＭ音声放送，音声情報信号を周波数変調（ＦＭ）音声信号として送信するＦＭ音声放送等のアナログ音声放送とされていたが、近年において、音声放送を、そのもとで送受信される音声情報の品質を向上させるべく、音声情報信号をディジタル音声信号として送信するディジタル音声放送となすことが提案されている。特に、ヨーロッパ地域にあっては、その一部において、ディジタル音声放送が、ＤＡＢ（Digital Audio Broadcasting) と称される放送システムとして、既に実用化されている。
【０００３】
ディジタル音声放送信号は、ディジタル音声信号を形成する音声情報データのみならず、それに加えて、例えば、天気予報，交通情報等を内容とするサービス情報データをも伝送し、さらに、受信側において音声情報データに基づくディジタル音声信号あるいはサービス情報データに基づくサービスデータを得るに際して必要とされる制御用情報データを伝送する。そして、音声情報データ及びサービス情報データの各々は、通常、複数のプログラムを夫々あらわす複数のプログラム情報データ含むものとされる。
【０００４】
ディジタル音声放送信号に含まれる音声情報データ及びサービス情報データは、伝送にあたって生じるデータビット欠落，データビット変化等に起因する悪影響を最小限に止めるべく、タイム・インターリーブ処理が施されたものとされる。音声情報データ及びサービス情報データは、例えば、２４ｍｓ（２４ミリ秒）の時間長を有したロジカル・フレームと称される単位区分が順次連なる態様をもって伝送されるが、それに施されるタイム・インターリーブ処理は、例えば、連続する１６個のロジカル・フレームをインターリーブ完結区分として行われ、タイム・インターリーブ処理が施された連続する１６個のロジカル・フレーム分の音声情報データ及びサービス情報データは、再び、連続する１６個のロジカル・フレームを形成するものとされる。
【０００５】
ロジカル・フレームは、例えば、最小データ区分である“キャパシティ・ユニット（ＣＵ）”と称されるユニットデータが８６４個連なって構成され、各キャパシティ・ユニットは６４ビットから成っている。従って、各ロジカル・フレームは、６４×８６４＝５５，２９６ビットから成ることになる。前述の如く、音声情報データ及びサービス情報データの夫々は、通常、複数のプログラム情報データを含むものとされるが、音声情報データもしくはサービス情報データが複数のプログラム情報データを含む場合、一つのプログラム情報データについての各ロジカル・フレームにおけるデータ量は、例えば、最大で１４０キャパシティ・ユニット（１４０×６４＝８，９６０ビット）程度とされる。
【０００６】
このようなディジタル音声放送において送信されるディジタル音声放送信号の受信は、ディジタル音声放送信号受信装置を用いて行われる。ディジタル音声放送信号受信機にあっては、ディジタル音声放送を行う各放送局により送信されるディジタル音声放送信号が、選局動作によって選択受信され、受信されたディジタル音声放送信号に対する復調処理が行われて、制御用情報データとタイム・インターリーブ処理が施された音声情報データ及びサービス情報データとが得られる。そして、タイム・インターリーブ処理が施された音声情報データ及びサービス情報データに対して、それに施されたタイム・インターリーブ処理を解除して、元の音声情報データ及びサービス情報データとするための、タイム・ディインターリーブ処理が施される。
【０００７】
タイム・インターリーブ処理が施された音声情報データ及びサービス情報データに対するタイム・ディインターリーブ処理は、通常、タイム・インターリーブ処理が施された音声情報データ及びサービス情報データから、それらに含まれる複数のプログラム情報データのうちの一つが選択されて取り出され、選択されたプログラム情報データに、それに施されたタイム・インターリーブ処理を解除して元のプログラム情報データを得べく、タイム・ディインターリーブ処理が施されることによって行われる。それにより、タイム・インターリーブ処理が施される前の元のプログラム情報データが、タイム・ディインターリーブ処理が施された音声情報データもしくはサービス情報データとして得られる。
【０００８】
続いて、制御用情報データが関与するもとで、タイム・ディインターリーブ処理が施された音声情報データ及びサービス情報データに基づく音声プログラムデータとサービスプログラムデータとが個別に得られ、音声プログラムデータについての復号化処理が行われてディジタル音声信号が再生され、そのディジタル音声信号に基づいて再生音声信号が得られるとともに、サービスプログラムデータについての復号化処理が行われて再生サービスデータが得られる。
【０００９】
斯かる際、受信されたディジタル音声放送信号に復調処理が行われて得られるタイム・インターリーブ処理が施された音声情報データ及びサービス情報データについてのタイム・ディインターリーブ処理は、タイム・インターリーブ処理が施された音声情報データ及びサービス情報データが形成する順次連なるロジカル・フレームのうちの、インターリーブ完結区分を成す、例えば、連続する１６個毎に行われる。そのため、例えば、図４に示される如くの、プログラム選択部１１，タイム・ディインターリーブ部１２及びメモリ部を成すランダム・アクセス・メモリ（ＲＡＭ）13を含んだ回路構成が用いられる。
【００１０】
図４に示される回路構成にあっては、受信されたディジタル音声放送信号に復調処理が行われて得られるタイム・インターリーブ処理が施された音声情報データ及びサービス情報データが形成する複合データＤｘｄが、プログラム選択部１１に供給される。プログラム選択部１１には制御ユニット１４からのプログラム選択制御信号Ｃｓｐも供給され、プログラム選択部１１においては、プログラム選択制御信号Ｃｓｐに応じて、複合データＤｘｄを形成する音声情報データに含まれる複数のプログラム情報データのうちの一つ、もしくは、複合データＤｘｄを形成するサービス情報データに含まれる複数のプログラム情報データのうちの一つを選択するデータ選択が行われ、プログラム選択部１１から選択されたプログラム情報データＤｐｄが送出されて、それがタイム・ディインターリーブ部１２に供給される。
【００１１】
それによりタイム・ディインターリーブ部１２及びそれに接続されたＲＡＭ１３においては、先ず、複合データＤｘｄが形成する順次連なるロジカル・フレームのうちの、各インターリーブ完結区分を成す、例えば、連続する１６個から成る組の夫々について、１６個のロジカル・フレームの各々におけるプログラム情報データＤｐｄを構成する複数のキャパシティ・ユニット（各々が６４ビットから成るユニットデータ）Ｄｐｕが、順次ＲＡＭ１３に取り込まれて格納される状態がとられる。そして、１６個のロジカル・フレームの各々におけるプログラム情報データＤｐｄを構成する複数のキャパシティ・ユニットＤｐｕの全部がＲＡＭ１３に格納された後に、格納された複数のキャパシティ・ユニットＤｐｕが、順次連なる１６個の新たなロジカル・フレームにおけるプログラム情報データＤｐｄ’を形成すべく、予め設定された所定の態様のもとにＲＡＭ１３から読み出され、その結果、タイム・ディインターリーブ処理が行われる。
【００１２】
このようにしてタイム・ディインターリーブ処理が行われるもとで、タイム・ディインターリーブ部１２においてタイム・ディインターリーブ処理が施されたプログラム情報データＤｐｄ’が得られ、それがタイム・ディインターリーブ部１２からタイム・ディインターリーブ処理が施された音声情報データもしくはサービス情報データとして導出される。
【００１３】
【発明が解決しようとする課題】
上述の如くにしてタイム・インターリーブ処理が施された音声情報データ及びサービス情報データに施されるタイム・ディインターリーブ処理は、前述の如く、例えば、連続する１６個のロジカル・フレームをもってインターリーブ完結区分とされる。それゆえ、タイム・インターリーブ処理が施された音声情報データ及びサービス情報データにタイム・ディインターリーブ処理が施されるに際して、考えられ得るデータ状況のいずれに対しても適正な処理が行われるようにするためには、そのタイム・ディインターリーブ処理に用いられる、例えば、図４に示されるＲＡＭ１３の如くのメモリ部は、連続する１６個のロジカル・フレーム分の全てのキャパシティ・ユニットにデータが存在する状態（フル状態）とされた、連続する１６個のロジカル・フレーム分のタイム・インターリーブ処理が施された音声情報データ及びサービス情報データの全体についての、タイム・ディインターリーブ処理に必要とされるビット容量を有することが要求される。
【００１４】
フル状態とされた連続する１６個のロジカル・フレーム分のタイム・インターリーブ処理が施された音声情報データ及びサービス情報データの全体についてのタイム・ディインターリーブ処理に必要とされるビット容量は、例えば、各ロジカル・フレームが連続する８６４個のキャパシティ・ユニットから成り、各キャパシティ・ユニットが６４ビットから成るとして、  式：６４×８６４×１６×ｎ／２  によりあらわされる。ここで、ｎは、タイム・ディインターリーブ処理が施された音声情報データ及びサービス情報データについて行われることになる、エラー訂正のためのビタビ復号処理におけるソフトディシジョンのビット数であって、音声情報データ及びサービス情報データに対しては、一般的に４とされる。
【００１５】
従って、フル状態とされた連続する１６個のロジカル・フレーム分のタイム・インターリーブ処理が施された音声情報データ及びサービス情報データの全体についてのタイム・ディインターリーブ処理に必要とされるビット容量は、例えば、６４×８６４×１６×４／２＝１，７６９，４７２≒１．７７メガビットとなる。
【００１６】
そして、図４に示されるＲＡＭ１３の如くのメモリ部は、殆どの場合、汎用製品であるＲＡＭが用いられて形成されると考えられるので、１．７７メガビットのビット容量を格納することができるものとして、２メガビットもしくは２メガビットより大なるビット容量を有したＲＡＭが用いられて形成されることになる。即ち、タイム・インターリーブ処理が施された音声情報データ及びサービス情報データにタイム・ディインターリーブ処理が施されるに際して用いられる、図４に示されるＲＡＭ１３の如くのメモリ部は、２メガビット以上のビット容量を有したものとされるのである。
【００１７】
しかしながら、タイム・インターリーブ処理が施された音声情報データ及びサービス情報データに対するタイム・ディインターリーブ処理は、実際には、通常、タイム・インターリーブ処理が施された音声情報データ及びサービス情報データから、それらに含まれる複数のプログラム情報データのうちの一つが選択されて取り出され、選択されたプログラム情報データに対してタイム・ディインターリーブ処理が施されることによって行われる。そして、タイム・インターリーブ処理が施された音声情報データ及びサービス情報データから選択されて取り出される一つのプログラム情報データは、前述の如くに、例えば、最大で１４０キャパシティ・ユニット、従って、６４×１４０＝８，９６０ビット程度とされる。
【００１８】
それゆえ、選択されて取り出される一つのプログラム情報データについてのタイム・ディインターリーブ処理に必要とされるビット容量は、式：６４×１４０×１６×ｎ／２  によりあらわされ、ｎを４として、６４×１４０×１６×４／２＝２８６，７２０≒０．３メガビットとなる。
【００１９】
これよりして、タイム・インターリーブ処理が施された音声情報データ及びサービス情報データについてのタイム・ディインターリーブ処理のために設けられる、例えば、図４に示されるＲＡＭ１３の如くの従来のメモリ部は、２メガビット以上のビット容量を有したものとされるが、実際には、２メガビット以上のビット容量のうちの０．３メガビットもしくはそれ以下のビット量、即ち、それが有するビット容量の１／６以下が、選択されたプログラム情報データを構成するユニットデータ（キャパシティ・ユニット）の格納に用いられるに過ぎないものとされることになる。
【００２０】
仮に、タイム・インターリーブ処理が施された音声情報データ及びサービス情報データに対するタイム・ディインターリーブ処理にあたり、タイム・インターリーブ処理が施された音声情報データ及びサービス情報データから、それらに含まれる複数のプログラム情報データのうちの二つが選択されるとしても、そのときメモリ部において選択されたプログラム情報データを構成するユニットデータの格納に用いられるビット容量は、０．３×２＝０．６メガビットもしくはそれ以下であり、メモリ部が有する２メガビットのビット容量に比して相当に小である。
【００２１】
このように、タイム・インターリーブ処理が施された音声情報データ及びサービス情報データについてのタイム・ディインターリーブ処理のために設けられる、例えば、図４に示されるＲＡＭ１３の如くの従来のメモリ部は、それが有するビット容量のうちの比較的大なる部分が実際には使用されないものとなっていて、利用効率が極めて悪いものとされている。
【００２２】
斯かる点に鑑み、本願における請求項１〜３のいずれかに記載された発明は、ディジタル音声放送信号を選択受信し、受信されたディジタル音声放送信号に基づいて得たタイム・インターリーブ処理が施された情報データに対して、それらに施されたタイム・インターリーブ処理を解除するタイム・ディインターリーブ処理を施し、タイム・ディインターリーブ処理が施された情報データに基づいて再生音声信号を得るにあたり、タイム・インターリーブ処理が施された情報データに対するタイム・ディインターリーブ処理のために備えられるメモリ部を、それが有するビット容量が有効に使用されて、利用効率が良好なものとなすことができる放送信号受信装置を提供する。
【００２３】
また、本願における請求項４〜７のいずれかに記載された発明は、請求項１〜３のいずれかに記載された発明と同様にして再生音声信号を得るにあたり、タイム・インターリーブ処理が施された情報データに対するタイム・ディインターリーブ処理のために備えられるメモリ部を、タイム・ディインターリーブ処理が施された情報データに基づいて得られる各種のデータの格納にも利用することにより、タイム・インターリーブ処理が施された情報データに対するタイム・ディインターリーブ処理のために備えられるメモリ部を、それが有するビット容量が有効に使用されて、利用効率が良好なものとなすことができる放送信号受信装置を提供する。
【００２４】
さらに、本願における請求項８に記載された発明は、請求項１〜７のいずれかに記載された発明と同様にして再生音声信号を得るにあたり、タイム・インターリーブ処理が施された情報データに対するタイム・ディインターリーブ処理のために備えられるメモリ部を、動作制御部における処理に用いられるデータの格納にも利用することにより、タイム・インターリーブ処理が施された情報データに対するタイム・ディインターリーブ処理のために備えられるメモリ部を、それが有するビット容量が有効に使用されて、利用効率が良好なものとなすことができる放送信号受信装置を提供する。
【００２５】
【課題を解決するための手段】
本願における請求項１〜３のいずれかに記載された発明に係る放送信号受信装置は、ディジタル音声放送信号を選択受信する受信部と、受信部により受信されたディジタル音声放送信号に基づき、タイム・インターリーブ処理が施された情報データを得るデータ復調部と、データ復調部から得られるタイム・インターリーブ処理が施された情報データにタイム・ディインターリーブ処理を施すタイム・ディインターリーブ部と、タイム・ディインターリーブ部によるタイム・ディインターリーブ処理が施された情報データに基づく再生音声信号を得る音声信号再生部と、タイム・ディインターリーブ部によるタイム・インターリーブ処理が施された情報データに対するタイム・ディインターリーブ処理が行われるにあたり、タイム・インターリーブ処理が施された情報データを構成するユニットデータの格納及び格納されたユニットデータの読出しが行われるメモリ部と、メモリ制御部とを備え、そのメモリ制御部が、メモリ部へのユニットデータの格納及びメモリ部からの格納されたユニットデータの読出しについての制御を行うとともに、メモリ部におけるユニットデータの格納及び読出しに使用されない部分を、ユニットデータ以外の他のデータの格納及び読出しに利用する制御を行うものとされて、構成される。
【００２６】
このように構成される本願における請求項１〜３のいずれかに記載された発明に係る放送信号受信装置にあっては、メモリ制御部による動作制御のもとに、タイム・インターリーブ処理が施された情報データ対するタイム・ディインターリーブ処理のために備えられるメモリ部が、タイム・ディインターリーブ処理にあたってタイム・インターリーブ処理が施された情報データを構成するユニットデータの格納及び読出しに使用されるのみならず、ユニットデータの格納及び読出しに使用されない部分が、ユニットデータ以外の他のデータの格納及び読出しに利用される。従って、タイム・インターリーブ処理が施された情報データに対するタイム・ディインターリーブ処理のために備えられるメモリ部が、タイム・ディインターリーブ処理に支障を及ぼすことなく、それが有するビット容量が有効に使用されて、利用効率が良好なものとされる。
【００２７】
本願における請求項４〜７のいずれかに記載された発明に係る放送信号受信装置は、請求項１〜３のいずれかに記載された発明に係る放送信号受信装置と同様な構成を有したもとで、メモリ制御部が、メモリ部におけるタイム・インターリーブ処理が施される情報データを構成するユニットデータの格納及び読出しに使用されない部分を、制御用情報データ、あるいは、タイム・ディインターリーブ処理が施された情報データに基づいて得られる音声プログラムデータに含まれるプログラム関連データ，パケットデータ、もしくは、音声プログラムデータに基づくビットストリームについての格納及び読出しに利用するものとされる。
【００２８】
このようにされる本願における請求項４〜７のいずれかに記載された発明に係る放送信号受信装置にあっては、タイム・インターリーブ処理が施された情報データに対するタイム・ディインターリーブ処理のために備えられるメモリ部が、タイム・ディインターリーブ処理にあたってタイム・インターリーブ処理が施された情報データを構成するユニットデータの格納及び読出しに使用されるのみならず、制御用情報データ、あるいは、タイム・ディインターリーブ処理が施された情報データに基づいて得られる音声プログラムデータに含まれるプログラム関連データ，パケットデータ、もしくは、音声プログラムデータに基づくビットストリームについての格納及び読出しに利用されることにより、タイム・ディインターリーブ処理に支障を及ぼすことなく、それが有するビット容量が有効に使用されて、利用効率が良好なものとされる。また、それにより、制御用情報データ、あるいは、タイム・ディインターリーブ処理が施された情報データに基づいて得られる音声プログラムデータに含まれるプログラム関連データ，パケットデータ、もしくは、音声プログラムデータに基づくビットストリームの格納及び読出しのために別途に備えられるメモリ部が、不要もしくは低減されたビット容量を有するもので足りるものとされる。
【００２９】
さらに、本願における請求項８に記載された発明に係る放送信号受信装置は、請求項１〜３のいずれかに記載された発明に係る放送信号受信装置と同様な構成を有したもとで、メモリ制御部が、メモリ部におけるタイム・インターリーブ処理が施される情報データを構成するユニットデータの格納及び読出しに使用されない部分を、受信部，データ復調部及び音声信号再生部の動作制御を行う動作制御部における処理に用いられるデータの格納及び読出しに利用するものとされる。
【００３０】
このようにされる本願における請求項８に記載された発明に係る放送信号受信装置にあっては、タイム・インターリーブ処理が施された情報データに対するタイム・ディインターリーブ処理のために備えられるメモリ部が、タイム・ディインターリーブ処理にあたってタイム・インターリーブ処理が施された情報データを構成するユニットデータの格納及び読出しに使用されるのみならず、受信部，データ復調部及び音声信号再生部の動作制御を行う動作制御部における処理に用いられるデータの格納及び読出しに利用されることにより、タイム・ディインターリーブ処理に支障を及ぼすことなく、それが有するビット容量が有効に使用されて、利用効率が良好なものとされる。また、それにより、受信部，データ復調部及び音声信号再生部の動作制御を行う動作制御部が内蔵するあるいは別途に備えるメモリ部が、不要もしくは低減されたビット容量を有するもので足りるものとされる。
【００３１】
【発明の実施の形態】
図１は、本願における請求項１〜８のいずれかに記載された発明に係る放送信号受信装置の一例を示す。この例にあっては、放送局から送信されて受信アンテナ２１により捉えられたディジタル音声放送信号が、選局受信部２２における選局動作によって選択受信される。
【００３２】
選局受信部２２において選択受信されるディジタル音声放送信号は、ディジタルデータが直交周波数多重変調（Orthogonal Frequency Divison Multiplexing : ＯＦＤＭ）方式により変調されて得られた変調波信号であり、そのディジタルデータは、伝送フレームと称されるフレーム単位が連なって構成される。
【００３３】
各伝送フレームは、図２におけるＡに一例が示される如く、例えば、９６ｍｓの時間長を有しており、同期チャンネルの部分，ファスト・インフォーメイション・チャンネル（ＦＩＣ）の部分、及び、メイン・サービス・チャンネル（ＭＳＣ）の部分を含んで形成される。ＭＳＣの部分は、図２におけるＢに示される如く、複数のコモン・インターリーブドゥ・フレーム（ＣＩＦ）の連なりによって構成されている。各ＣＩＦは、全体が５５，２９６ビットから成り、図２におけるＣに示される如く、０〜８６３までの合計８６４個のキャパシティ・ユニット（ＣＵ）が連なるものとされる。各キャパシティ・ユニットは６４ビットから成るユニットデータである。そして、このようなＭＳＣによって音声情報及びサービス情報が伝送される。
【００３４】
また、ＦＩＣの部分は、図２におけるＢに示される如く、複数のファスト・インフォーメイション・ブロック（ＦＩＢ）の連なりによって構成されている。各ＦＩＢは、図２におけるＣに示される如く、２５６ビットから成り、ＦＩＢデータフィールドとエラー検出用ワードＣＲＣ（Cyclic Redundancy Check)とを含んでいる。さらに、各ＦＩＢデータフィールドは、図２におけるＤに示される如く、複数のファスト・インフォーメイション・グループ（ＦＩＧ）の連なりによって構成されており、各ＦＩＧは、図２におけるＥに示される如く、ＦＩＧヘッダとＦＩＧデータフィールドとを含んでいる。そして、このようなＦＩＣによって、多重構成情報（Multiplex Configuration information : ＭＣＩ）及びその他の情報等の制御用情報が伝送される。
【００３５】
選局受信部２２における選局動作は、動作制御部を形成する制御ユニット４０から供給される選局制御信号ＣＴＤに応じて行われる。そして、選局受信部２２においては、選択受信されたディジタル音声放送信号に対する増幅処理，周波数変換処理等が行われて、選択受信されたディジタル音声放送信号についての中間周波数（ＩＦ）信号ＳＩＤが形成され、そのＩＦ信号ＳＩＤがアナログ／ディジタル（Ａ／Ｄ）変換部２３に供給される。
【００３６】
Ａ／Ｄ変換部２３からは、ＩＦ信号ＳＩＤに対応するディジタルＩＦ信号ＤＩＤが得られ、それが直交復調部２４に供給される。直交復調部２４においては、ディジタルＩＦ信号ＤＩＤに対して直交復調処理が施され、それにより、一対の直交復調出力であるＩ信号ＤＩとＱ信号ＤＱとが得られる。
【００３７】
直交復調部２４から得られるＩ信号ＤＩとＱ信号ＤＱとは、高速フーリエ変換（ＦＦＴ）差動復調部２５に供給される。ＦＦＴ差動復調部２５においては、Ｉ信号ＤＩ及びＱ信号ＤＱについての時間ドメイン信号から周波数ドメイン信号への変換が行われ、ＦＦＴ差動復調部２５からは、ファスト・インフォーメーション・チャンネル（ＦＩＣ）により伝送される制御用情報をあらわす制御用情報データＤＣＤと、メイン・サービス・チャンネル（ＭＳＣ）により伝送される音声情報及びサービス情報を夫々あらわす音声情報データ及びサービス情報データが形成する複合データＤＸＤとが得られる。
【００３８】
複合データＤＸＤを形成する音声情報データ及びサービス情報データは、タイム・インターリーブ処理が施されている。斯かる音声情報データ及びサービス情報データの夫々は、コモン・インターリーブドゥ・フレーム（ＣＩＦ）に対応し、例えば、２４ｍｓの時間長を有したロジカル・フレームが順次連なって構成されていて、それに施されたタイム・インターリーブ処理は、例えば、連続する１６個のロジカル・フレームをインターリーブ完結区分として行われている。各ロジカル・フレームは、ユニットデータを形成するキャパシティ・ユニット（ＣＵ）が８６４個連なって構成される。
【００３９】
ＦＦＴ差動復調部２５から得られる制御用情報データＤＣＤは、ビタビ復号部２６に供給され、一方、ＦＦＴ差動復調部２５から得られる複合データＤＸＤは、プログラム選択部２７に供給される。
【００４０】
プログラム選択部２７には制御ユニット４０からのプログラム選択制御信号ＣＳＰも供給され、プログラム選択部２７においては、プログラム選択制御信号ＣＳＰに応じて、複合データＤＸＤを形成する音声情報データに含まれる複数のプログラム情報データのうちの一つ、もしくは、複合データＤＸＤを形成するサービス情報データに含まれる複数のプログラム情報データうのうちの一つを選択するデータ選択が行われ、プログラム選択部２７から選択されたタイム・インターリーブ処理が施されたプログラム情報データＤＰＤが送出されて、それがタイム・ディインターリーブ部２８に供給される。
【００４１】
それにより、タイム・ディインターリーブ部２８は、プログラム選択部２７から得られるタイム・インターリーブ処理が施されたプログラム情報データＤＰＤにタイム・ディインターリーブ処理を施す。その際、タイム・インターリーブ処理が施されたプログラム情報データＤＰＤを構成するユニットデータであるキャパシティ・ユニットＤＰＵが、タイム・ディインターリーブ部２８からメモリ制御部２９に供給され、メモリ制御部２９によってタイム・ディインターリーブ処理のためのメモリ部を形成するＲＡＭ３０に格納されるものとされ、また、ＲＡＭ３０に格納されたキャパシティ・ユニットＤＰＵが、メモリ制御部２９によってＲＡＭ３０から読み出され、メモリ制御部２９を通じてタイム・ディインターリーブ部２８に供給される。
【００４２】
このように、タイム・ディインターリーブ部２８によるタイム・インターリーブ処理が施されたプログラム情報データＤＰＤに対してのタイム・ディインターリーブ処理が、メモリ制御部２９及びＲＡＭ３０が参加せしめられるもとで行われるにあたっては、先ず、プログラム選択部２７に供給される複合データＤＸＤが形成する順次連なるロジカル・フレームのうちの、各インターリーブ完結区分を成す連続する１６個から成る組の夫々について、１６個のロジカル・フレームの各々におけるプログラム情報データＤＰＤを構成する複数のユニットデータであるキャパシティ・ユニットＤＰＵが、順次、タイム・ディインターリーブ部２８からメモリ制御部２９に供給され、その複数のキャパシティ・ユニットＤＰＵがメモリ制御部２９によってＲＡＭ３０に書き込まれて格納される。
【００４３】
続いて、１６個のロジカル・フレームの各々におけるプログラム情報データＤＰＤを構成する複数のキャパシティ・ユニットＤＰＵの全部がＲＡＭ３０に格納された後に、ＲＡＭ３０に格納された複数のキャパシティ・ユニットＤＰＵが、メモリ制御部２９により、予め設定された所定の読出態様をもってＲＡＭ３０から読み出され、順次連なる１６個の新たなロジカル・フレームにおけるプログラム情報データＤＰＤ’を形成すべく、メモリ制御部２９からタイム・ディインターリーブ部２８に供給される。その結果、タイム・ディインターリーブ部２８において、タイム・インターリーブ処理を解除するタイム・ディインターリーブ処理が施されたプログラム情報データＤＰＤ’が得られ、それがタイム・ディインターリーブ部２８からタイム・ディインターリーブ処理が施された音声情報データもしくはサービス情報データとして導出される。
【００４４】
ＲＡＭ３０は、連続する１６個のロジカル・フレーム分の全てのキャパシティ・ユニットにデータが存在する状態（フル状態）とされた、連続する１６個のロジカル・フレーム分のタイム・インターリーブ処理が施されたプログラム情報データの全体についてのタイム・ディインターリーブ処理が施されるとしても、斯かるタイム・ディインターリーブ処理が適正に行われるようにすべく、例えば、式：６４×８６４×１６×ｎ／２によってあらわされ、ｎ＝４として求められる、１，７６９，４７２≒１．７７メガビットを越える２メガッビットのビット容量を有するものとされる。
【００４５】
そして、タイム・ディインターリーブ部２８によるタイム・インターリーブ処理が施されたプログラム情報データＤＰＤに対してのタイム・ディインターリーブ処理が実際に行われる際に、ＲＡＭ３０に格納される１６個のロジカル・フレームの各々におけるプログラム情報データＤＰＤを構成する複数のキャパシティ・ユニットＤＰＵのデータ量は、プログラム情報データＤＰＤのデータ量を最大１４０キャパシティ・ユニットとして、式：６４×１４０×１６×ｎ／２  によりあらわされ、ｎを４として、２８６，７２０≒０．３メガビットとなる。
【００４６】
従って、２メガビットのビット容量を有したＲＡＭ３０において、２メガビットのビット容量のうちの略０．３メガビットもしくはそれ以下に対応する部分が使用されて、タイム・ディインターリーブ部２８によるタイム・インターリーブ処理が施されたプログラム情報データＤＰＤに対してのタイム・ディインターリーブ処理が行われる際における、１６個のロジカル・フレームの各々におけるプログラム情報データＤＰＤを構成する複数のユニットデータであるキャパシティ・ユニットＤＰＵの格納及び読出しが行われることになる。即ち、２メガビットのビット容量を有するＲＡＭ３０における、略１．７メガビットもしくはそれを越えるビット容量に対応する比較的大なる部分が、タイム・ディインターリーブ部２８によるタイム・インターリーブ処理が施されたプログラム情報データＤＰＤに対してのタイム・ディインターリーブ処理が行われる際における、１６個のロジカル・フレームの各々におけるプログラム情報データＤＰＤを構成する複数のユニットデータであるキャパシティ・ユニットＤＰＵの格納及び読出しが行われない部分（以下、“ユニットデータの格納及び読出しに使用されない部分”という）とされるのである。
【００４７】
タイム・ディインターリーブ部２８からタイム・ディインターリーブ処理が施されたプログラム情報データＤＰＤ’は、ビタビ復号部２６に供給される。ビタビ復号部２６においては、ＦＦＴ差動復調部２５からの制御用情報データＤＣＤ及びタイム・ディインターリーブ部２８からのプログラム情報データＤＰＤ’についての、尤最復号手法によるエラー訂正処理が行われる。そして、ビタビ復号部２６から、エラー訂正処理が施されたプログラム情報データＤＰＤ’が得られてプログラム選択部３１に供給されるとともに、エラー訂正処理がなされた制御用情報データＤＣＤが得られて制御ユニット４０に供給される。
【００４８】
プログラム選択部３１には制御ユニット４０からのプログラム選択制御信号ＣＰＲも供給され、プログラム選択部３１からは、プログラム選択制御信号ＣＰＲに応じて、ビタビ復号部２６からのエラー訂正処理がなされたプログラム情報データＤＰＤ’に基づく音声プログラムデータＤＡＤもしくはサービスプログラムデータＤＳＤが導出される。
【００４９】
プログラム選択部３１から導出される音声プログラムデータＤＡＤは、高能率復号化部３２に供給されるとともに、メモリ制御部２９に供給される。高能率復号化部３２においては、音声プログラムデータＤＡＤに対する高能率復号化処理が行われて、高能率符号化処理により圧縮されたデータが伸長され、復号化された音声データＤＡが得られる。また、高能率復号化部３２からは、音声プログラムデータＤＡＤに含まれたプログラム関連データＤＰＡが得られて制御ユニット４０に供給される。
【００５０】
音声プログラムデータＤＡＤに含まれたプログラム関連データＤＰＡは、例えば、図３に示される如くに、音声プログラムデータＤＡＤが形成する音声フレームにおける音声データに続く部分に配された不定長プログラム関連データＸ−ＰＡＤと固定長プログラム関連データＦ−ＰＡＤとを含むものとされる。なお、図３に示される音声フレーム中のＳｃＦ−ＣＲＣは、図示されていなが音声フレーム中に含まれるスケールファクタデータ用のエラー検出用ワードである。
【００５１】
高能率復号化部３２から得られる復号化された音声データＤＡは、ディジタル／アナログ（Ｄ／Ａ）変換部３３に供給されてアナログ化され、Ｄ／Ａ変換部３３において音声データＤＡに対応する再生音声信号ＳＡが形成される。そして、Ｄ／Ａ変換部３３において得られた再生音声信号ＳＡが出力端子３４に導出される。
【００５２】
また、プログラム選択部３１から導出されるサービスプログラムデータＤＳＤは、復号化部３５に供給されるとともに、制御ユニット４０に供給される。復号化部３５においては、サービスプログラムデータＤＳＤに対する復号化処理が行われて、サービスプログラムデータＤＳＤに基づく再生サービスデータＤＳが得られる。そして、復号化部３５から得られる再生サービスデータＤＳが出力端子３６に導出される。
【００５３】
制御ユニット４０は、ビタビ復号部２６からの制御用情報データＤＣＤ，高能率復号化部３２からのプログラム関連データＤＰＡ、さらには、入力操作部４１からそれにおける操作に応じて供給される指令信号ＣＣ等に応じて形成した制御データＤＶＤをビタビ復号部２６に供給し、ビタビ復号部２６に対する動作制御を行う。
【００５４】
また、制御ユニット４０は、例えば、入力操作部４１から供給される指令信号ＣＣに応じて、ビタビ復号部２６からの制御用情報データＤＣＤのうちの選択されたもの，高能率復号化部３２からのプログラム関連データＤＰＡのうちの選択されたもの、及び、プログラム選択部３１からのサービスプログラムデータＤＳＤが形成するパケットデータの夫々を、データＤＹＷとしてメモリ制御部２９に供給する。さらに、制御ユニット４０は、状況に応じて、制御ユニット４０内でのデータ処理に用いられるデータも、データＤＹＷとしてメモリ制御部２９に供給する。
【００５５】
プログラム選択部３１からの音声プログラムデータＤＡＤ及び制御ユニット４０からのデータＤＹＷが供給されるメモリ制御部２９は、音声プログラムデータＤＡＤに基づくビットストリームを、データＤＺとして、ＲＡＭ３０における“ユニットデータの格納及び読出しに使用されない部分”に格納するとともに、制御ユニット４０からの制御信号ＣＤＺに応じて、ＲＡＭ３０における“ユニットデータの格納及び読出しに使用されない部分”からそこに格納されたデータＤＺを読出し、それをデータＤＹＲとして制御ユニット４０に供給する。また、メモリ制御部２９は、制御ユニット４０からのデータＤＹＷも、データＤＺとして、ＲＡＭ３０における“ユニットデータの格納及び読出しに使用されない部分”に格納するとともに、制御ユニット４０からの制御信号ＣＤＺに応じて、ＲＡＭ３０における“ユニットデータの格納及び読出しに使用されない部分”からそこに格納されたデータＤＺを読出し、それをデータＤＹＲとして制御ユニット４０に供給する。
【００５６】
従って、メモリ制御部２９は、実質的に、制御用情報データＤＣＤのうちの選択されたもの，タイム・ディインターリーブ処理が施されたプログラム情報データＤＰＤ’に基づいて得られる音声プログラムデータＤＡＤに含まれるプログラム関連データＤＰＡのうちの選択されたもの，タイム・ディインターリーブ処理が施されたプログラム情報データＤＰＤ’に基づいて得られるサービスプログラムデータＤＳＤが形成するパケットデータ，タイム・ディインターリーブ処理が施されたプログラム情報データＤＰＤ’に基づいて得られる音声プログラムデータＤＡＤに基づくビットストリーム、及び、制御ユニット４０内でのデータ処理に用いられるデータの夫々についての、ＲＡＭ３０における“ユニットデータの格納及び読出しに使用されない部分”における格納及び読出しを、制御ユニット４０の動作制御のもとに行うことになる。
【００５７】
そして、メモリ制御部２９により、ＲＡＭ３０における“ユニットデータの格納及び読出しに使用されない部分”に一旦格納された後、そこから読み出されて制御ユニット４０にデータＤＹＲとして供給される制御用情報データＤＣＤのうちの選択されたもの，プログラム関連データＤＰＡのうちの選択されたもの，サービスプログラムデータＤＳＤが形成するパケットデータ，音声プログラムデータＤＡＤに基づくビットストリーム、及び、制御ユニット４０内でのデータ処理に用いられるデータの夫々は、制御ユニット４０による選局受信部２２，プログラム選択部２７，ビダビ復号部２６，プログラム選択部３１等に対する動作制御に供される。
【００５８】
このようにして、メモリ制御部２９によって、実質的に、制御用情報データＤＣＤのうちの選択されたもの，プログラム関連データＤＰＡのうちの選択されたもの，サービスプログラムデータＤＳＤが形成するパケットデータ，音声プログラムデータＤＡＤに基づくビットストリーム、及び、制御ユニット４０内でのデータ処理に用いられるデータの夫々についての、ＲＡＭ３０における“ユニットデータの格納及び読出しに使用されない部分”における格納及び読出しが行われることにより、タイム・ディインターリーブ処理のためのＲＡＭ３０が、タイム・インターリーブ処理が施されたプログラム情報データＤＰＤに対するタイム・ディインターリーブ処理にあたって、プログラム情報データＤＰＤを構成するユニットデータの格納及び読出しに使用されるのみならず、ユニットデータ以外の他のデータの格納及び読出しにも利用され、それによって、タイム・ディインターリーブ処理に支障を及ぼすことなく、それが有するビット容量が有効に使用されて、利用効率が良好なものとされることになる。
【００５９】
さらに、タイム・ディインターリーブ処理のためのＲＡＭ３０が、それが有するビット容量が有効に使用されて、制御用情報データＤＣＤのうちの選択されたもの，プログラム関連データＤＰＡのうちの選択されたもの，サービスプログラムデータＤＳＤが形成するパケットデータ，音声プログラムデータＤＡＤに基づくビットストリーム、及び、制御ユニット４０内でのデータ処理に用いられるデータの夫々の格納及び読出しに利用されることにより、これらのデータの格納及び読出しのために別途に備えられるメモリ部が、不要に、もしくは、低減されたビット容量を有するＲＡＭ等のメモリ手段で足りるものとされることになる。
【００６０】
上述の如くの図１に示される例においては、Ａ／Ｄ変換部２３からプログラム選択部２７までを含む部分が、選局受信部２２により受信されたディジタル音声放送信号に基づき、タイム・インターリーブ処理が施されたプログラム情報データＤＰＤを得るデータ復調部を形成している。また、ビタビ復号部２６及びプログラム選択部３１からＤ／Ａ変換部３３までを含む部分が、タイム・ディインターリーブ部２８によるタイム・ディインターリーブ処理が施されたプログラム情報データＤＰＤ’に基づく再生音声信号ＳＡを得る音声信号再生部を形成している。さらに、ビタビ復号部２６，プログラム選択部３１及び復号化部３５を含む部分が、タイム・ディインターリーブ部２８によるタイム・ディインターリーブ処理が施されたプログラム情報データＤＰＤ’に基づく再生サービスデータＤＳを得るサービスデータ再生部を形成している。
【００６１】
【発明の効果】
以上の説明から明らかな如く、本願における請求項１〜３のいずれかに記載された発明に係る放送信号受信装置によれば、タイム・インターリーブ処理が施された情報データ対するタイム・ディインターリーブ処理のために備えられるメモリ部が、タイム・ディインターリーブ処理にあたってタイム・インターリーブ処理が施された情報データを構成するユニットデータの格納及び読出しに使用されるのみならず、ユニットデータの格納及び読出しに使用されない部分が、ユニットデータ以外の他のデータの格納及び読出しに利用されるので、タイム・インターリーブ処理が施された情報データに対するタイム・ディインターリーブ処理のために備えられるメモリ部が、タイム・ディインターリーブ処理に支障を及ぼすことなく、それが有するビット容量が有効に使用されて、利用効率が良好なものとされる利点が得られる。
【００６２】
本願における請求項４〜７のいずれかに記載された発明に係る放送信号受信装置によれば、タイム・インターリーブ処理が施された情報データに対するタイム・ディインターリーブ処理のために備えられるメモリ部が、タイム・ディインターリーブ処理にあたってタイム・インターリーブ処理が施された情報データを構成するユニットデータの格納及び読出しに使用されるのみならず、制御用情報データ、あるいは、タイム・ディインターリーブ処理が施された情報データに基づいて得られる音声プログラムデータに含まれるプログラム関連データ，パケットデータ、もしくは、音声プログラムデータに基づくビットストリームについての格納及び読出しに利用されるので、タイム・ディインターリーブ処理に支障を及ぼすことなく、それが有するビット容量が有効に使用されて、利用効率が良好なものとされる。また、それにより、タイム・ディインターリーブ処理が施された情報データに基づいて得られる制御用情報データ，音声プログラムデータに含まれるプログラム関連データ，パケットデータ、もしくは、音声プログラムデータの格納及び読出しのために別途に備えられるメモリ部が、不要もしくは低減されたビット容量を有するもので足りるものとされる利点が得られる。
【００６３】
さらに、本願における請求項８に記載された発明に係る放送信号受信装置によれば、タイム・インターリーブ処理が施された情報データに対するタイム・ディインターリーブ処理のために備えられるメモリ部が、タイム・ディインターリーブ処理にあたってタイム・インターリーブ処理が施された情報データを構成するユニットデータの格納及び読出しに使用されるのみならず、受信部，データ復調部及び音声信号再生部の動作制御を行う動作制御部における処理に用いられるデータの格納及び読出しに利用されるので、タイム・ディインターリーブ処理に支障を及ぼすことなく、それが有するビット容量が有効に使用されて、利用効率が良好なものとされる。また、それにより、受信部，データ復調部及び音声信号再生部の動作制御を行う動作制御部が内蔵するあるいは別途に備えるメモリ部が、不要もしくは低減されたビット容量を有するもので足りるものとされる利点が得られる。
【図面の簡単な説明】
【図１】本願における請求項１〜８のいずれかに記載された発明に係る放送信号受信装置の一例を示すブロック構成図である。
【図２】図１に示される例により受信されるディジタル音声放送信号の説明に供される信号フォーマットである。
【図３】図１に示される例において得られる音声プログラムデータの説明に供されるデータフォーマットである。
【図４】タイム・インターリーブ処理が施された情報データにタイム・ディインターリーブ処理を施すための従来の回路構成を示すブロック構成図である。
【符号の説明】
２１  アンテナ      ２２  選局受信部      ２３  Ａ／Ｄ変換部      ２４直交復調部      ２５  ＦＦＴ差動復調部      ２６  ビタビ復号部      ２７，３１  プログラム選択部      ２８  タイム・ディインターリーブ部      ２９  メモリ制御部      ３０  ＲＡＭ      ３２  高能率復号化部      ３３Ｄ／Ａ変換部      ３５  復号化部      ４０  制御ユニット      ４１  入力操作部
【図１】
0003697833.tif 000002
【図２】
0003697833.tif 000003
【図３】
0003697833.tif 000004
【図４】
0003697833.tif 000005